(57)【要約】【課題】  負荷電流が大きいときに異常と誤検出することなく、かつ比較的小電流の異常放電を検出することができるようにする。【解決手段】  フライバックトランス（２０１）の二次巻線の電流の異常を検出する異常検出回路（３、４）が、二次巻線の電流を電位信号に変換する回路（３）と、電位信号が所定値よりも低いか否かを判定する回路（４０７）とを備える。高圧電流検出回路（３）は、ミュート期間とそれ以外とで、二次巻線の電流と電位信号との関係を切替える。【選択図】        図１
2006148413.tif 000002
【特許請求の範囲】
【請求項１】
ブラウン管のアノードに高圧電流を供給する二次巻線を有するフライバックトランスの、前記二次巻線の電流を電位信号に変換する高圧電流検出回路と、
前記電位信号が所定の閾値よりも低いか否かを判定するレベル弁別回路と、
ミュート期間であるか否かを示す信号を発生するミュート制御回路とを備え、
前記高圧電流検出回路は、前記ミュート制御回路が発生する信号が、ミュート期間であることを示すものであるか否かに応じて前記二次巻線の電流と前記電位信号との関係を切替えることを特徴とする
異常検出回路。
【請求項２】
前記高圧電流検出回路は、前記二次巻線の電流が大きいほど、より低い値の電位信号を生成するものであり、
前記高圧電流検出回路は、前記ミュート期間においては、前記ミュート期間以外のときに比べて、前記二次巻線の電流が同じである場合に、前記電位信号がより低い値を有するように前記切替えを行うことを特徴とする
請求項１に記載の異常検出回路。
【請求項３】
ブラウン管のアノードに高圧電流を供給する二次巻線を有するフライバックトランスの、前記二次巻線の電流を電位信号に変換する高圧電流検出回路と、
前記電位信号が所定の閾値よりも低いか否かを判定する比較制御回路と、
ミュート期間であるか否かを示す信号を発生するミュート制御回路とを備え、
前記比較制御回路は、前記ミュート制御回路が発生する信号が、ミュート期間であることを示すものであるか否かに応じて前記閾値を切替えることを特徴とする
異常検出回路。
【請求項４】
前記高圧電流検出回路は、前記二次巻線の電流が大きいほど、より低い値の電位信号を生成するものであり、
前記比較制御回路は、前記ミュート期間においては、前記ミュート期間以外のときに比べて、前記閾値をより高い値に切替えることを特徴とする
請求項３に記載の異常検出回路。
【請求項５】
請求項１乃至４のいずれかに記載の異常検出回路と、前記異常検出回路により異常が検知されたときに、前記フライバックトランスへの電源の供給を遮断する回路をさらに備えたことを特徴とするＣＲＴ表示装置。
【請求項６】
前記異常検出回路による前記異常の検出が所定回数以上繰り返されたとき、または前記電位信号が前記閾値以下の状態が所定の時間以上継続したときに、
前記電源の遮断後の再起動を禁止する手段を備えたことを特徴とする請求項５に記載のＣＲＴ表示装置。
【請求項７】
ブラウン管のアノードに高圧電流を供給する二次巻線を有するフライバックトランスの、前記二次巻線の電流を電位信号に変換し、
前記電位信号が所定の閾値よりも低いか否かを判定する
異常検出方法において、
ミュート期間であるか否かに応じて前記二次巻線の電流と前記電位信号との関係を切替えることを特徴とする異常検出方法。
【発明の詳細な説明】
【技術分野】
【０００１】
本発明は、陰極線管（ＣＲＴ）表示装置で使用されるフライバックトランス（以下ＦＢＴ）等の異常検出回路及び方法に関し、特にＦＢＴからの高圧が気中、沿面等に異常放電を起こしたときにこれを検出する回路に関する。本発明はまた、そのような異常検出回路を備えたＣＲＴ表示装置に関する。
【背景技術】
【０００２】
従来の高圧異常検出回路の一例においては、ＦＢＴに流れる高圧電流を電圧に変換し、この電圧を所定値と比較することで、電流値が閾値以上になったときに、異常が発生したものとして、高圧発生回路への電源供給を遮断している。
【０００３】
また、ＣＲＴのビーム電流に応じてＦＢＴの流入電流を検出し、電源を停止させるものもある（例えば、特許文献１参照）。
【０００４】
【特許文献１】特開２００２−３３０３６８公報（第１図）
【発明の開示】
【発明が解決しようとする課題】
【０００５】
しかるに、高圧発生回路は負荷変動が大きく、閾値を低く設定すると、負荷電流を誤って異常と判断してしまうことになり、このような誤判断を避けるため、閾値を高くすると、比較的小電流の異常放電を検出することができないと言う問題がある。
【０００６】
この発明は、上記の課題を解消するためになされたものであり、負荷電流が大きいときに異常と誤検出することがなく、かつ比較的小電流の異常放電を検出することができる異常検出回路を提供することを目的とする。
【課題を解決するための手段】
【０００７】
この発明は、
ブラウン管のアノードに高圧電流を供給する二次巻線を有するフライバックトランスの、前記二次巻線の電流を電位信号に変換する高圧電流検出回路と、
前記電位信号が所定の閾値よりも低いか否かを判定するレベル弁別回路と、
ミュート期間であるか否かを示す信号を発生するミュート制御回路とを備え、
前記高圧電流検出回路は、前記ミュート制御回路が発生する信号が、ミュート期間であることを示すものであるか否かに応じて前記二次巻線の電流と前記電位信号との関係を切替えることを特徴とする
異常検出回路を提供する。
【発明の効果】
【０００８】
本発明によれば、負荷電流が増大しても、異常と誤認定することなく、しかも比較的小電流の異常放電を確実に検出することができる。
【発明を実施するための最良の形態】
【０００９】
実施の形態１．
図１は、実施の形態１の異常検出回路を備えた、ＣＲＴ表示装置の、水平偏向高圧発生回路及びこれに関連する回路を示す。図示のＣＲＴ表示装置は、電源回路１と、水平偏向高圧発生回路２と、高圧電流検出回路３と、検出制御回路４と、電源遮断回路５と、ＣＲＴ６とを有する。
【００１０】
電源回路１は、外部の交流電源ＰＳから電源接続端子１０ａ、１０ｂを介し、さらに後述のスイッチ５０１を介して電源の供給を受け、直流電力を出力する。外部の交流電源はＰＳは例えば商用電源である。
水平偏向高圧発生回路２は、フライバックトランス（ＦＢＴ）２０１を有し、その一次巻線２０２及び二次巻線２０３に電源回路１から、それぞれノード３１、３２を介して直流電流の供給を受け、二次巻線２０３からＦＢＴ２０１内蔵の整流ダイオード２０４を介してＣＲＴ６のアノードボタン６ａに高圧直流電流を供給する。
高圧電流検出回路３は、ＦＢＴ２０１の二次巻線２０３に流れる電流Ｉｓを検出する。この検出は、二次巻線２０３の電流Ｉｓを電位信号Ｖａに変換することにより行われる。電位Ｖａは、電流Ｉｓが大きくなるほど低くなる。
検出制御回路４は、高圧電流検出回路３による検出の制御、及び検出結果に基く電源遮断回路５の制御を行う。
高圧電流検出回路３と検出制御回路４とで、ＦＢＴ２０１の二次巻線２０３の異常を検出する異常検出回路を構成する。
電源遮断回路５は、上記のスイッチ５０１を含み、検出制御回路４に制御されて外部の交流電源ＰＳから電源回路１への電源の供給を遮断する。
【００１１】
電源回路１は、例えばスイッチング電源回路で構成されており、図２に示すように、全波整流回路１０１を有し、その交流端子１０１ａ、１０１ｂは、スイッチ５０１を介して、電源接続端子１０ａ、１０ｂに接続されている。
【００１２】
全波整流回路１０１の直流正極端子１０１ｃは、変圧器１０２の一次巻線１０３の第１の端部１０３ａに接続され、一次巻線１０３の第２の端部１０３ｂは、スイッチング用ＮチャンネルＭＯＳＦＥＴ１０４のドレイン１０４ａに接続されている。ＮチャンネルＭＯＳＦＥＴ１０４のソース１０４ｂは抵抗器１０５を介して接地されている。ＮチャンネルＭＯＳＦＥＴ１０４のゲートには、図示しない制御回路からパルス列が供給される。
【００１３】
全波整流回路１０１の直流負極端子１０１ｄは接地されている。また、全波整流回路１０１の直流正極端子１０１ｃには平滑コンデンサ１０６の一方の電極が接続され、平滑コンデンサ１０６の他方の電極は直流負極端子１０１ｄに接続されている。
【００１４】
変圧器１０２の第１の二次巻線１０７の第１の端部１０７ａは、整流ダイオード１０８のアノードに接続され、整流ダイオード１０８のカソードは、図示しない負荷に接続されている。第１の二次巻線１０７の第２の端部１０７ｂは接地され、また、整流ダイオード１０８のカソードには平滑コンデンサ１０９の一方の電極が接続され、平滑コンデンサ１０９の他方の電極は第１の二次巻線１０７の他端１０７ｂに接続されている。
【００１５】
変圧器１０２の第２の二次巻線１１０の第１の端部１１０ａは、整流ダイオード１１１のアノードに接続され、整流ダイオード１１１のカソードは、ノード３１に接続されている。
第２の二次巻線１１０の第２の端部１１０ｂは接地され、また、整流ダイオード１１１のカソードには平滑コンデンサ１１２の一方の電極が接続され、平滑コンデンサ１１２の他方の電極は第２の二次巻線１１０の第２の端部１１０ｂに接続されている。
【００１６】
水平偏向高圧発生回路２は、例えば図３に示すように構成されている。即ち、ＦＢＴ２０１の一次巻線２０２の第１の端部２０２ａは、ノード３１に接続され、ＦＢＴ２０１の一次巻線２０２の第２の端部２０２ｂには、水平偏向コイル２０６の一端が接続され、水平偏向コイル２０６の他端は、リニアリティコイル２０７及びＳ字コンデンサ２０８を介して接地されている。
また、一次巻線２０２の第２の端部２０２ｂには共振コンデンサ２０９の一方の電極が接続され、共振コンデンサ２０９の他方の電極は接地されている。
さらに、一次巻線２０２の第２の端部２０２ｂは、水平出力トランジスタ（ｎｐｎトランジスタ）２１０のコレクタに接続され、この水平出力トランジスタ２１０のエミッタは接地されている。水平出力トランジスタ２１０のコレクタ及びエミッタにはダンパーダイオード２１１のカソード及びアノードが接続されている。
【００１７】
ＦＢＴ２０１の二次巻線２０３の第１の端部２０３ａはノード３２に接続されている。
二次巻線２０３の第２の端部２０３ｂは整流ダイオード２０４のアノードに接続され、整流ダイオード２０４のカソードはＣＲＴ６のアノードボタン６ａに接続されている。このアノードに供給される電流は、ビーム電流となる。
【００１８】
高圧電流検出回路３及び検出制御回路４は、例えば図４に示されるように構成されている。
ノード３１，３２間には抵抗３０１とコンデンサ３０２が並列接続されている。
また、ノード３１にはｐｎｐトランジスタ３０３のエミッタが接続され、トランジスタ３０３のコレクタは抵抗３０４を介してノード３２に接続されている。
トランジスタ３０３のベースは、抵抗３０５を介してノード３１に接続されるとともに、抵抗３０６を介してｎｐｎトランジスタ３０７のコレクタに接続され、トランジスタ３０７のエミッタは接地され、トランジスタ３０７のベースは抵抗３０８を介してミュート信号Ｖｄを受けるように接続されている。
【００１９】
このミュート信号は、検出制御回路４内に設けられたミュート制御回路４０９から出力されるものであり、ミュート期間（映像、音声を出力しない期間）においては、「Ｌ」（「低レベル」）となり、それ以外のときは、「Ｈ」（「高レベル」）となる。従って、ミュート期間においては、トランジスタ３０７は、オフとなり、トランジスタ３０３もオフとなる。ミュート期間は例えば３乃至４秒程度続く。
一方ミュート期間以外においては、トランジスタ３０７がオンとなり、トランジスタ３０３もオンとなって、抵抗３０１と抵抗３０４の並列回路を構成する。この並列回路の合成抵抗値は、抵抗３０１のみの抵抗値よりも小さい。
【００２０】
このように、高圧電流検出回路３はノード３１とノード３２の間に接続されており、ミュート信号Ｖｄに応じてノード３１とノード３２の間の抵抗値が切り替わるものである。即ち、ミュート信号Ｖｄが「Ｌ」でミュート期間を表すものであるときは、高圧電流検出回路３のノード３１とノード３２の間の抵抗値は第１の値となり、ミュート信号Ｖｄが「Ｈ」でミュート期間以外を表すものであるときは、高圧電流検出回路３のノード３１とノード３２の間の抵抗値は上記第１の値よりも小さい第２の値となる。
【００２１】
上記のような構成により、高圧電流検出回路３は、二次巻線電流（高圧電流）を電圧（電位信号Ｖａ）に変換している。
【００２２】
ノード３２は、図示しない自動輝度制限回路（ＡＢＬ: automatic brightness limiter）に接続されている。
【００２３】
ノード３２はさらに、検出制御回路４内の抵抗４０１の一端に接続され、抵抗４０１の他端はダイオード４０２のカソードに接続され、ダイオード４０２のアノードは、抵抗４０３を介して５Ｖの直流電源Ｖｃａに接続されるとともに、抵抗４０４の一端に接続され、抵抗４０４の他端はコンデンサ４０５を介して接地されるとともに、比較制御回路４０７の入力端子４０６に接続されている。
ノード３２の電位Ｖａが電源Ｖｃａの電位（５Ｖ）よりも高ければ、入力端子電位Ｖｃは略５Ｖに維持される。一方、ノード３２の電位Ｖａが５Ｖよりも低くなると、入力端子電位Ｖｃもそれに伴って低下する。
【００２４】
比較制御回路４０７は、例えば図５に示すように、レベル弁別回路４１１と、継続判定回路４１２とを有する。
レベル弁別回路４１１は、例えばトランジスタインバータ回路で構成された入力段を有し、入力端子４０６の電位Ｖｃが閾値Ｖｔｈよりも小さいとその出力信号Ｖｆが「Ｈ」となり、電位Ｖｃが閾値Ｖｔｈよりも大きいとその出力信号Ｖｆが「Ｌ」となる。
継続判定回路４１２は、レベル弁別回路４１１の出力信号Ｖｆを受け、信号Ｖｆが「Ｈ」の状態が継続したか否かを判定し、継続したと判定したときは、その出力信号Ｖｅを「Ｈ」にする。例えば、出力信号Ｖｆが「Ｈ」となる状態が第１の所定時間以内の時間間隔で、第２の所定時間（第１の所定時間よりも長い）以上発生し続けた場合に「継続した」と判定する。
【００２５】
比較制御回路４０７の出力端子から出力される信号（異常放電検出信号）Ｖｅは、電源オン／オフ制御回路４０８の入力端子に供給され、電源オン／オフ制御回路４０８の出力信号Ｖｂは、電源遮断回路５の制御入力端子５０６に接続されている。
また、上記のように、ミュート制御回路４０９は、ミュート期間（映像、音声を出力しない期間）においては、「Ｌ」となり、それ以外のときは、「Ｈ」となるミュート信号Ｖｄを出力する。
【００２６】
ミュート制御回路４０９と、比較制御回路４０７と、電源オン／オフ制御回路４０８はともに、ソフトウェアにより、即ちプログラムされたコンピュータの一部によって構成されている。
【００２７】
電源遮断回路５は例えば図６に示すように構成されている。電源遮断回路５の上記のスイッチ５０１は、電磁リレーの一部を成すものであり、コイル５０２により駆動される。コイル５０２は第１の端部５０２ａが例えば９Ｖの直流電源Ｖｃｂに接続され、第２の端部５０２ｂがｎｐｎトランジスタ５０３のコレクタに接続され、トランジスタ５０３のエミッタは接地されている。
コイル５０２の第１の端部５０２aにはダイオード５０４のカソードが、第２の端部５０２ｂにはダイオード５０４のアノードが接続されている。
トランジスタ５０３のベースは、抵抗５０５を介して制御入力端子５０６に接続されるとともに、抵抗５０７を介して接地されている。
【００２８】
図２に示す電源回路１の全波整流回路１０１は、外部の交流電源ＰＳから供給される交流電流を直流に変える。トランジスタ１０４は、上記のように、図示しない制御回路から供給されるパルス列に応じて、一次巻線の１０３の電流をオン、オフする。
この結果変圧器１０２の二次巻線１０７、１１０に交流電圧が誘起されるが、整流ダイオード１０８、１１１により整流され、平滑コンデンサ１０９、１１２により平滑される。
二次巻線１０７からの電流は、図示しない負荷例えば映像信号処理回路や各種のドライブ回路等に供給される。
二次巻線１１０からの電流は、ノード３１を介してＦＢＴ２１の一次巻線２０２に供給される。なお、ノード３１の電位がＶｃｃで示されている。
一次巻線２０２の電流は、水平出力トランジスタ２１０により制御される。
水平出力トランジスタ２１０は、図示しない同期信号分離回路で抽出された水平同期信号に同期したパルス信号でオン、オフされる。
【００２９】
水平出力トランジスタ２１０が水平同期信号に同期してオン、オフを繰り返すと、この水平出力トランジスタ２１０とダンパーダイオード２１１と共振コンデンサ２０９の働きにより、水平偏向コイル２０６に水平偏向電流が流れる。即ち、水平出力トランジスタ２１０がオンしているときは、一次巻線２０２には、図の矢印２０２ｃの向きの電流が流れ、またこれに同期して水平偏向コイル２０６からも矢印２０６ｃの向きの電流が流れ、この電流は次第に大きくなる。水平出力トランジスタ２１０がオフになると、一次巻線２０２及び水平偏向コイル２０６のインダクタンスの作用により、矢印２０２ｃ、２０６ｃの向きの電流が共振コンデンサ２０９を通して流れる。共振コンデンサ２０９の充電が進むにつれ、矢印２０２ｃ、２０６ｃの向きの電流は急激に小さくなり、ついにはゼロとなり、さらに矢印２０６ｃとは逆の向きの電流が水平偏向コイル２０６に流れるようになる。共振コンデンサ２０９の放電が終わった後は、水平偏向コイル２０６のインダクタンスの作用により、矢印２０６ｃとは逆の向きの電流がダンパーダイオード２１１を介して、流れ続ける。この電流も次第に小さくなりほぼゼロになるときに、水平出力トランジスタ２１０がオンし、水平偏向コイル２０６に矢印２０６ｃの向きの電流が流れはじめ、これとともに一次巻線２０２に矢印２０２ｃの向きの電流が流れ始める。
以下、上記したのと同様の動作が繰り返されることにより、水平偏向コイル２０６には鋸波状の電流が流れ、一次巻線２０２にも断続的な直流電流が流れる。
【００３０】
リニアリティコイル２０７は、水平偏向コイル２０６に流れる電流に、ラスタ左右のバランスを調整するための補正を加えるために設けられている。
Ｓ字コンデンサ２０８は、水平偏向コイル２０６に流れる電流に、水平偏向曲率と水平表示面曲率の差を吸収するための補正を加えるために設けられている。
【００３１】
上記のように一次巻線２０２に断続的な直流電流が流れる結果、二次巻線２０３には交流高圧電圧が誘起され、整流ダイオード２０４で整流されて、電流（二次巻線電流）がビーム電流としてＣＲＴ６のアノードボタン６ａに供給される。
ビーム電流は、電源回路１の変圧器１０２の二次巻線１１０、ダイオード１１１、高圧電流検出回路３の抵抗３０１及び３０４の並列回路（トランジスタ３０３がオンのとき）又は抵抗３０１のみ（トランジスタ３０３がオフのとき）を介して流れる。抵抗３０１、抵抗３０４、トランジスタ３０３などは、二次巻線電流検出のために設けられたものであり、ノード３２の電位は、二次巻線電流と、トランジスタ３０３がオンかオフかに依存する。
即ち、二次巻線電流が多くなるほど、抵抗３０１及び３０４の並列回路又は、抵抗３０１による電圧降下によって、ノード３２の電位Ｖａは低下する。
また、トランジスタ３０３がオンで、二次巻線電流が抵抗３０１と抵抗３０４の並列回路を介して流れるときは、トランジスタ３０３がオフで、二次巻線電流が抵抗３０１のみを介して流れるときに比べ、電圧降下が小さいため、（二次巻線電流が同じであっても）ノード３２の電位Ｖａは高い。
異常放電が起きると、ビーム電流に異常放電による電流が加わるので、二次巻線電流がより大きな値となり、従って、これに伴ってノード３２の電位Ｖａが低下する。本発明の異常放電検出は、この放電に伴うノード３２の電位Ｖａの低下に基づいて行われる。ミュート期間においては、ビーム電流は殆どゼロであり、この期間においては、異常放電を高感度に検出することができる。即ち、微小な電流であっても、これを異常放電によるものとして判定することができる。
【００３２】
検出制御回路４は、ノード３２の電位Ｖａを二次巻線電流の大きさに対応したものとして、これに基づく制御を行う。
即ち、ノード３２の電位Ｖａは、抵抗４０１、ダイオード４０２、抵抗４０４を介して入力端子４０６に伝達され、電位Ｖｃが入力端子４０６に印加される。電位Ｖｃが所定の閾値Ｖｔｈ以上か否かによって、比較制御回路４０７の出力信号Ｖｅが「Ｈ」又は「Ｌ」となる。即ち、電位Ｖｃが閾値Ｖｔｈよりも低くなると、これに基づいて、異常放電があった、或いはビーム電流が過大であると判定し、Ｖｅが「Ｈ」となる。
【００３３】
以下、図７及び図８を参照して説明する。
電源オン／オフ制御回路４０８は、ＣＲＴの動作開始時（ｔ１１、ｔ２１）に信号Ｖｂを「Ｈ」にし、これによりトランジスタ５０３がオンとなり、電磁リレーのコイル５０２に電流が流れ、スイッチ５０１が閉じ、交流電源ＰＳから電源回路１に交流電流が供給される。この結果、電源回路１から、電圧Ｖｃｃが出力され、水平偏向高圧発生回路２のＦＢＴ２０１の一次巻線２０２に電流が供給されるとともに、高圧電流検出回路３を介してＦＢＴ２０１の二次巻線２０３に二次巻線電流Ｉｓが供給される。
また、電源供給開始時（ｔ１１、ｔ２１）に、ミュート信号Ｖｄは「Ｌ」とされ、その結果トランジスタ３０７はオフとなり、トランジスタ３０３もオフとなる。
【００３４】
図７に示すように、正常時には（異常放電がなければ）、ｔ１１から所定時間後に（ｔ１２）にミュート信号Ｖｄが「Ｈ」になる。
ミュート信号が「Ｈ」になりトランジスタ３０３がオンとなると、二次巻線電流に変化がなくても、電位Ｖａが高くなる。
ミュート期間以外においては、映像信号の出力開始などによって、二次巻線電流Ｉｓが増大しても（ｔ１３）、それが所定の範囲内、即ち予定した範囲内、即ち「最大平均電流値（映像信号に対応したビーム電流として予定した値の範囲の最大値（最も明るい映像信号の表示の際に流れる電流値））」以下である限り、電位Ｖｃは閾値Ｖｔｈよりも大きな値に維持される。
【００３５】
一方、電位Ｖｃが閾値Ｖｔｈ以下となると（ｔ１４）、これが比較制御回路４０７のレベル弁別回路４１１で検出されてその出力信号Ｖｆが「Ｈ」となる。しかし、この出力信号が継続しない場合には、継続判定回路４１２の出力信号Ｖｅは「Ｈ」とならず、電源オン／オフ制御回路４０８の出力信号Ｖｂは「Ｈ」に保たれる。
【００３６】
図８に示すように、ミュート期間中に異常放電ＡＤが起きると、電位Ｖａの値が瞬時的に低下する。図には、放電が繰り返され、その結果電位Ｖａの値が繰り返し瞬時的に低下する様子が示されている。
電位Ｖａの低下に伴い、電位Ｖｃが低下し、閾値Ｖｔｈよりも低くなる。電位Ｖｃが閾値Ｖｔｈよりも低くなって、このことがレベル弁別回路４１１で検出され、さらにそのような状態が所定時間継続したことが継続判定回路４１２で判定されると、継続判定回路４１２の信号Ｖｅが「Ｈ」となる。即ち、比較制御回路４０７は、異常放電があったものとして、そのことを示す信号Ｖｅを電源オン／オフ制御回路４０８に供給する。
【００３７】
電源オン／オフ制御回路４０８は、信号Ｖｅに応じて信号Ｖｂを「Ｌ」にし（ｔ２２）、この結果トランジスタ５０３がオフとなり、コイル５０２には電流が流れなくなり、スイッチ５０１が開く。これにより電源が遮断される。
【００３８】
ミュート期間において電位Ｖｃが閾値Ｖｔｈ以下となっても、これが一時的であれば、継続判定回路４１２の出力信号Ｖｅが「Ｈ」とならない。即ち、ＶｃがＶｔｈよりも低くなれば、レベル弁別回路４１１の出力信号Ｖｆが「Ｈ」となるが、これが継続しない場合には、継続判定回路４１２の出力信号Ｖｅは「Ｈ」とならず、電源オン／オフ制御回路４０８の出力信号Ｖｂは「Ｈ」に保たれる。
【００３９】
抵抗３０１、３０４の値は、閾値Ｖｔｈが、ミュート期間中においては、最低供給電流値（正常な（放電がない）ミュート期間に流れる電流）に対応する電圧Ｖｓｐより少し低い値になり、かつミュート期間以外においては、上記した最大平均電流値に対応する電圧Ｖｍｐよりも少し低い値になるように、定められる。
【００４０】
従って、正常時には、電位Ｖｃは閾値Ｖｔｈよりも高い状態に保たれ（Ｖｔｈがそのような値に設定されている）、或いはＶｔｈよりも低くなるとしても継続はせず、従って、信号Ｖｅは「Ｌ」に保たれ、電源オン／オフ回路４０８の出力信号Ｖｂは「Ｈ」に保たれ、スイッチ５０１は閉じた状態に保たれる。
【００４１】
先にも述べたように、Ｖｔｈは一定であっても、二次巻線電流Ｉｓと電位Ｖａ、Ｖｃの関係がミュート期間とそれ以外とでは異なるので、同じ二次巻線電流をミュート期間とそれ以外とで異なる閾値と比較しているのと等価である。
仮に、抵抗３０４、トランジスタ３０３が設けられておらず、ミュート期間とそれ以外とで、二次巻線電流とＶａ、Ｖｃの関係が同じであるとすれば、Ｖａ、Ｖｃはそれぞれ、破線Ｖａ’、Ｖｃ’で示すようになり、閾値Ｖｔｈが同じであるとすれば、異常放電が起きても検出できないことになる。仮に閾値Ｖｔｈを図に破線Ｖｔｈ’で示すようにより高い値とすれば、放電を検出することができるが、ミュート期間以外における負荷電流の増大があり、Ｖｃが低下したときに異常放電と誤って判断してしまうことがある。
【００４２】
本実施の形態では、ミュート期間とそれ以外とで、異なる閾値を用いているのと等価であるので、ミュート期間以外において上記のような誤判断がなく、一方、ミュート期間における放電を確実に検出することができる。
【００４３】
なお、上記の例では、電位Ｖｃが閾値Ｖｔｈよりも低くなる状態が所定時間以上継続したときに、比較制御回路４０７の出力Ｖｅが「Ｈ」となるように構成されているが、電位Ｖｃが閾値Ｖｔｈよりも低くなったら直ちに信号Ｖｅが「Ｈ」となるように構成しても良い。
これを実現するには、例えば継続判定回路４１２を除去し、レベル弁別回路４１１の出力をそのまま比較制御回路４０７の出力とすれば良い。
【００４４】
以上のように、本実施の形態によれば、二次巻線電流が一定で最小となる電源起動時や任意の映像ミュート期間に、二次巻線電流の変化に対応した電位信号の変化を検出することで、異常放電を高感度に検出することができる。即ち、ＣＲＴへ供給されるビーム電流が一番少ない状態において、二次巻線電流の変動分を検出することで、異常放電等を微小電流の段階で早期に発見することが可能となる。
【００４５】
実施の形態２．
図９は、実施の形態２の異常検出回路を備えたＣＲＴ表示装置の、水平偏向高圧発生回路及びこれに関連する回路を示す。実施の形態２のＣＲＴ表示装置の全体的構成は実施の形態１のものと概して同じである。ただし、以下の点で異なる。即ち、図１の高圧電流検出回路３及び検出制御回路４の代わりに高圧電流検出回路１３及び検出制御回路１４が設けられている。
図９の高圧電流検出回路１３及び検出制御回路１４は、例えば図１０に示されるように構成されており、図４の高圧電流検出回路３及び検出制御回路４と比べて以下の点で異なる。まず、高圧電流検出回路３のトランジスタ３０３、３０７、抵抗３０４、３０５、３０６、３０８が設けられていない。従って、二次巻線電流Ｉｓと電位Ｖａの関係が、ミュート期間であるか否かに関係しない。即ち、ミュート期間であるか否かに拘わらず、二次巻線電流Ｉｓと電位Ｖａの関係が一定である。
【００４６】
また、図４の抵抗４０１、４０３、４０４、ダイオード４０２、コンデンサ４０５の代わりに、抵抗４２１乃至４２４、コンデンサ４２５、４２６、ダイオード４２７、４２８が設けられている。また、比較制御回路４０７の代わりに、比較制御回路４３１が設けられている。
【００４７】
ノード３２は、抵抗４２１の第１の端部に接続され、抵抗４２１の第２の端部が抵抗４２４の第１の端部に接続され、抵抗４２４の第２の端部が入力端子４０６に接続されている。抵抗４２４の上記第１の端部は、抵抗４２２を介して５Ｖの直流電源Ｖｃａに接続されるとともに、抵抗４２３を介して接地され、さらにコンデンサ４２５を介して接地されている。抵抗４２４の第２の端部は、コンデンサ４２６を介して接地され、さらにダイオード４２７のアノード及びダイオード４２８のカソードに接続されている。ダイオード４２７のカソードは直流電源Ｖｃａに接続され、ダイオード４２８のアノードは接地されている。ダイオード４２７及び４２８は入力端子４０６の電位を、５Ｖ以下（厳密には、５Ｖにダイオード４２７の順方向電圧降下を加算した値以下）、０Ｖ以上（厳密には、０Ｖからダイオード４２８の順方向電圧降下を減算した値以上）の範囲内に制限するためのものである。
ノード３２の電位Ｖａは、抵抗４２１と抵抗４２３と抵抗４２２とからなる回路を介して、さらに抵抗４２４を介して入力端子４０６に伝えられる。
コンデンサ４２５，４２６は、電圧信号を平滑化（積分）するためのものである。
【００４８】
比較制御回路４３１は、ミュート制御回路４０９が出力するミュート信号Ｖｄを受け、ミュート信号Ｖｄの値に応じて異なる閾値を選択し、入力端子４０６の信号Ｖｃを選択された閾値と比較する。
比較制御回路４３１は、例えば図１１に示すように、比較回路４３２と、それぞれ第１及び第２の閾値Ｖｔｈ１、Ｖｔｈ２を発生する第１及び第２の閾値発生回路４３３及び４３４と、選択回路４３５とを有する。
Ｖｔｈ１＞Ｖｔｈ２である。
選択回路４３５はミュート信号に応じてＶｔｈ１、Ｖｔｈ２のいずれかを選択する。
即ち、ミュート信号が「Ｌ」のとき（ミュート期間）は、Ｖｔｈ１を、ミュート信号が「Ｈ」のとき（ミュート期間以外）はＶｔｈ２を選択する。
比較回路４３２は、電位Ｖｃを、選択回路４３５で選択されたＶｔｈ１又はＶｔｈ２と比較し、電位Ｖｃの方が低ければ、その出力信号Ｖｆを「Ｈ」とし、電位Ｖｃの方が高ければその出力信号Ｖｆを「Ｌ」とする。
比較回路４３２の出力は継続判定回路４１２に入力される。
継続判定回路４１２及び電源オンオフ制御回路４０８は、実施の形態１と同様に動作する。
【００４９】
以下、図１２及び図１３を参照して説明する。
電源オン／オフ制御回路４０８は、ＣＲＴの動作開始時（ｔ３１、ｔ４１）に信号Ｖｂを「Ｈ」にし、これによりトランジスタ５０３がオンとなり、電磁リレーのコイル５０２に電流が流れ、スイッチ５０１が閉じ、交流電源ＰＳから電源回路１に交流電流が供給される。この結果、電源回路１から、電圧Ｖｃｃが出力され、これにより水平偏向高圧回路１のＦＢＴ２０１の一次巻線２０２に電流が供給されるとともに、高圧電流検出回路３を介してＦＢＴ２０１の二次巻線２０３に二次巻線電流Ｉｓが供給される。
また、電源供給開始時（ｔ３１、ｔ４１）に、ミュート信号Ｖｄは「Ｌ」とされ、その結果選択回路４３５は閾値Ｖｔｈ１を選択する。
【００５０】
図１２に示すように、正常時には（異常放電がなければ）、ｔ３１から所定時間後に（ｔ３２）にミュート信号Ｖｄが「Ｈ」になる。
ミュート信号が「Ｈ」になると、選択回路４３５は閾値Ｖｔｈ２を選択する。
ミュート期間以外においては、映像信号の出力開始などによって、二次巻線電流Ｉｓが増大しても（ｔ３３）、それが所定の範囲内、即ち上記した最大平均電流値以下である限り、電位Ｖｃは閾値Ｖｔｈ２よりも大きな値に維持される。
【００５１】
一方、電位Ｖｃが閾値Ｖｔｈ２以下となると（ｔ３４）、これが比較制御回路４３１の比較回路４３２で検出されてその出力信号Ｖｆが「Ｈ」となる。しかし、この出力信号が継続しない場合には、継続判定回路４１２の出力信号Ｖｅは「Ｈ」とならず、電源オン／オフ制御回路４０８の出力信号Ｖｂは「Ｈ」に保たれる。
【００５２】
図１３に示すように、ミュート期間中に異常放電ＡＤが起きると、電位Ｖａの値が瞬時的に低下する。図には、放電が繰り返され、その結果電位Ｖａの値が繰り返し瞬時的に低下する様子が示されている。
電位Ｖａの低下に伴い、電位Ｖｃが低下し、閾値Ｖｔｈ１よりも低くなる。電位Ｖｃが閾値Ｖｔｈ１よりも低くなって、このことが比較回路４３２で検出され、さらにそのような状態が所定時間継続したことが継続判定回路４１２で判定されると、継続判定回路４１２の信号Ｖｅが「Ｈ」となる。即ち、比較制御回路４０７は、異常放電があったものとして、そのことを示す信号Ｖｅを電源オン／オフ制御回路４０８に供給する。
【００５３】
電源オン／オフ制御回路４０８は、信号Ｖｅに応じてＶｂを「Ｌ」にし（ｔ４２）、この結果トランジスタ５０３がオフとなり、コイル５０２には電流が流れなくなり、スイッチ５０１が開く。これにより電源が遮断される。
【００５４】
ミュート期間において電位Ｖｃが閾値Ｖｔｈ１以下となっても、これが一時的であれば、継続判定回路４１２の出力信号Ｖｆが「Ｈ」とならない。即ち、ＶｃがＶｔｈ１よりも低くなれば、比較回路４３２の出力信号Ｖｆが「Ｈ」となるが、これが継続しない場合には、継続判定回路４１２の出力信号Ｖｅは「Ｈ」とならず、電源オン／オフ制御回路４０８の出力信号Ｖｂは「Ｈ」に保たれる。
【００５５】
閾値Ｖｔｈ１の値は、ミュート期間中における上記の最低供給電流値に対応する電圧Ｖｓｐより少し低い値になり、閾値Ｖｔｈ２の値は、ミュート期間以外における最大平均電流値に対応する電圧Ｖｍｐよりも少し低い値になるように、定められる。
【００５６】
従って、正常時には、電位Ｖｃは閾値Ｖｔｈ１、Ｖｔｈ２よりも高い状態に保たれ（Ｖｔｈ１、Ｖｔｈ２がそのような値に設定されている）、或いはＶｔｈ１、Ｖｔｈ２よりも低くなるとしても継続はせず、従って、信号Ｖｅは「Ｌ」に保たれ、電源オン／オフ制御回路４０８の出力信号Ｖｂは「Ｈ」に保たれ、スイッチ５０１は閉じた状態に保たれる。
【００５７】
以上のように実施の形態２では、ミュート期間とそれ以外とで異なる閾値を、Ｖｃとの比較に用いている。仮に、ミュート期間においてもＶｔｈ２を用いるとすれば、異常放電が起きても電流が比較的小さければ検出できないことになる。逆に仮にミュート期間以外においても閾値Ｖｔｈ１を用いるとすれば、ミュート期間以外における負荷電流の増大があり、Ｖｃが低下したときに異常放電と誤って判断してしまうことがある。
【００５８】
本実施の形態では、ミュート期間とそれ以外とで、異なる閾値を用いているので、ミュート期間以外において上記のような誤判断がなく、一方、ミュート期間における放電を確実に検出することができる。
【００５９】
なお、上記の例では、電位Ｖｃが閾値Ｖｔｈ１、Ｖｔｈ２よりも低くなる状態が所定時間以上継続したときに、比較制御回路４０７の出力Ｖｅが「Ｈ」となるように構成されているが、電位Ｖｃが閾値Ｖｔｈ１、Ｖｔｈ２よりも低くなったら直ちに信号Ｖｅが「Ｈ」となるように構成しても良い。
これを実現するには、例えば継続判定回路４１２を除去し、比較回路４３２の出力をそのまま比較保護回路４３１の出力とすれば良い。
【００６０】
上記した実施の形態１、実施の形態２では、ＣＲＴへの電源がオンになった直後にミュート期間が始まるものとしているが、電源オンになったとき以外のときにもミュート期間を設定することができる。
例えば、所定の時間ごとにミュート期間を設定することとしても良く、チャンネルが切替えられたときにミュート期間を設定することとしても良い。
また所定の時間ごとに、例えば所定の時間以上テレビジョン受信機のユーザによる何らかの操作入力（操作用キー入力部やリモコンを用いて行われるチャンネル切替え、音量調節などの操作入力）もされなかった場合に、ミュートを行い、ミュート期間中に異常放電のチェックをすることとしても良い。この場合、ミュート期間に入る前に、「検査のため一旦映像の表示を中断します」と言う内容のメッセージを表示するようにしても良い。
【００６１】
実施の形態１、実施の形態２において、電源遮断回路５の動作（スイッチ５０１の開動作）により、電源回路１への電源供給を遮断した場合、例えば図示しない電源ボタンをユーザが押すことにより、検出制御回路４の比較制御回路４０７或いは検出制御回路１４の比較制御回路４３１がリセットされ、再起動を行うことができる。再起動により、電源遮断回路５のスイッチ５０１を閉じた後の動作は上記と同じである。
【００６２】
実施の形態３．
図１４は、この発明の実施の形態３で用いられる検出制御回路の一部、即ち、図４の検出制御回路４の比較制御回路４０７と電源オン／オフ制御回路４０８の組合せの代わりに用いられる部分を示す。図１４に示す構成では、比較制御回路４０７と電源オン／オフ制御回路４０８に加えて、累積回数超過検出回路４４１とＯＲ回路４４２が設けられている。
図１４の回路は、異常発生の累積回数を計数し、所定の回数（例えば５０回）を上回った場合に電源遮断状態を維持する機能を持たせ、その後のユーザによる再起動を禁止するようにしたものである。
【００６３】
累積回数超過検出回路４４１は、比較制御回路４０７の出力信号Ｖｅが「Ｈ」となった回数を数えるカウンタを内蔵し、カウンタの計数値が所定値を超えると、内蔵のフラグを「１」にセットする。フラグを記憶する回路は、スイッチ５０１により遮断される電源とは別の電源により、例えばスタンバイ回路用の電源により、あるいはバッテリにより駆動され、外部の交流電源ＰＳから電源回路１への電源供給が遮断されても、記憶内容が保持される。
【００６４】
累積回数超過検出回路４４１の出力と、比較制御回路４０７の出力がＯＲ回路４４２を介して、電源オン／オフ制御回路４０８に供給される。比較制御回路４０７の出力及び累積回数超過検出回路４４１の出力の少なくとも一方が「Ｈ」であれば、ＯＲ回路４４２の出力は「Ｈ」である。
従って、累積回数超過検出回路４４１により異常発生の回数が所定回数を超過したことが検出されると、その後は電源の再投入ができなくなる。即ち、一旦累積回数超過検出回路４４１により上記したフラグがセットされると、これはユーザによる操作ではリセットできなくなり、特定の人、例えばサービスエンジニアが特定の箇所（ユーザがアクセスできない箇所）に、或いは特殊の方法で（ユーザに対し公開されていない方法で）アクセスした上でなければリセットができないようになっている。このような構成とすることにより、異常の原因が存続している状態において再起動が繰り返されることを防ぐことができる。
【００６５】
実施の形態４．
図１５は、この発明の実施の形態４で用いられる検出制御回路の一部、即ち、図１４の検出制御回路４の比較制御回路４０７、電源オン／オフ制御回路４０８、累積回数超過検出回路４４１、及びＯＲ回路４４２の組合せの代わりに用いられる部分を示す。図１５に示す構成は、図１４に示す構成と同様であるが、累積回数超過検出回路４４１の代わりに、累積時間超過検出回路４４３が設けられている。
【００６６】
図１５の回路は、異常発生の累積時間を計測し、所定の時間（例えば１分）を上回った場合に電源遮断状態を維持する機能を持たせ、その後のユーザによる再起動を禁止するようにしたものである。
【００６７】
累積時間超過検出回路４４３は、比較制御回路４０７のレベル弁別回路４１１の出力信号Ｖｆが「Ｈ」である時間を累積する時間計測回路を内蔵し、時間計測回路により計測時間が所定値を超えると、内蔵のフラグを「１」にセットする。フラグを記憶する回路は、スイッチ５０１により遮断される電源とは別の電源により、例えばスタンバイ回路用の電源により、あるいはバッテリにより駆動され、外部の交流電源ＰＳから電源回路１への電源供給が遮断されても、記憶内容が保持される。
【００６８】
累積時間超過検出回路４４３の出力と、比較制御回路４０７の出力がＯＲ回路４４２を介して、電源オン／オフ制御回路４０８に供給される。比較制御回路４０７の出力及び累積時間超過検出回路４４３の出力の少なくとも一方が「Ｈ」であれば、ＯＲ回路４４２の出力は「Ｈ」である。
従って、累積時間超過検出回路４４３により異常発生の時間が所定値を超過したことが検出されると、その後は電源の再投入ができなくなる。即ち、一旦累積時間超過検出回路４４３により上記したフラグがセットされると、これはユーザによる操作ではリセットできなくなり、特定の人、例えばサービスエンジニアが特定の箇所（ユーザがアクセスできない箇所）に、或いは特殊の方法で（ユーザに対し公開されていない方法で）アクセスした上でなければリセットができないようになっている。このような構成とすることにより、異常の原因が存続している状態において再起動が繰り返されることを防ぐことができる。
【００６９】
図１４、図１５では、図４の検出制御回路４を変形した検出制御回路を示しているが、図１０の検出制御回路１４の場合にも同様の変形を加えることができる。
【産業上の利用可能性】
【００７０】
本発明の活用例として、テレビジョン受信機やモニター等に適用できる。
【図面の簡単な説明】
【００７１】
【図１】この発明の実施の形態１の異常検出回路を示す図である。
【図２】図１の電源回路の詳細を示す図である。
【図３】図１の水平偏向高圧発生回路の詳細を示す図である。
【図４】図１の高圧電流検出回路及び検出制御回路の詳細を示す図である。
【図５】図４の比較制御回路の詳細を示す図である。
【図６】図１の電源遮断回路の詳細を示す図である。
【図７】実施の形態１の回路の動作を示す信号波形図である。
【図８】実施の形態１の回路の動作を示す信号波形図である。
【図９】この発明の実施の形態２の異常検出回路を示す図である。
【図１０】図９の高圧電流検出回路及び検出制御回路の詳細を示す図である。
【図１１】図１０の比較制御回路の詳細を示す図である。
【図１２】実施の形態２の回路の動作を示す信号波形図である。
【図１３】実施の形態２の回路の動作を示す信号波形図である。
【図１４】この発明の実施の形態３で用いられる検出制御回路の一部を示すブロック図である。
【図１５】実施の形態３で用いられる検出制御回路の他の例の一部を示すブロック図である。
【符号の説明】
【００７２】
１  電源回路、  ２  水平偏向高圧発生回路、  ３、１３  高圧電流検出回路、  ４、１４  検出制御回路、  ５  電源遮断回路、  ６  ＣＲＴ、  ２０１  ＦＢＴ、  ４０７  比較制御回路。
【図１】
2006148413.tif 000003
【図２】
2006148413.tif 000004
【図３】
2006148413.tif 000005
【図４】
2006148413.tif 000006
【図５】
2006148413.tif 000007
【図６】
2006148413.tif 000008
【図７】
2006148413.tif 000009
【図８】
2006148413.tif 000010
【図９】
2006148413.tif 000011
【図１０】
2006148413.tif 000012
【図１１】
2006148413.tif 000013
【図１２】
2006148413.tif 000014
【図１３】
2006148413.tif 000015
【図１４】
2006148413.tif 000016
【図１５】
2006148413.tif 000017